(57)【要約】【課題】少ない個数のＬＥＤを用いて、広い照射面積を与え得る照明灯を提供する。【解決手段】本発明に係る照明灯は、本体１２と、この本体１２の上方において、それより所定距離を隔てて位置する蓋体１４と、それら本体１２及び蓋体１４の対応する角部間又は周縁部間を連結する複数本の支柱１６と、上下の端部がそれぞれ本体１２及び蓋体１４に支持されて、それら本体１２及び蓋体１４間で所定幅において延びる導光板１８と、蓋体１４内に配置され、導光板１８の上端部の端面に対して光を照射せしめる少なくとも一つの発光ダイオード３６とを含んでいる。そして、導光板１８内に導き入れられた発光ダイオード３６からの光が、導光板１８の主面及び側端面から放射されるようになっている。【選択図】図１
2008192472.tif 000002
【特許請求の範囲】
【請求項１】
ベースに固定される下部筐体と、該下部筐体の上方において、該下部筐体より所定距離を隔てて位置せしめられる上部筐体と、それら下部筐体及び上部筐体の対応する角部間又は周縁部間を連結し、該上部筐体を該下部筐体の上方に支持する複数本の支柱と、上下の端部がそれぞれ上部筐体及び下部筐体に支持されて、それら上部筐体及び下部筐体間で所定幅において延びる導光板と、該上部筐体内に配置され、該導光板の上端部端面に対して光を照射せしめる少なくとも一つの発光ダイオードとを含み、該導光板内に導き入れられた該発光ダイオードからの光が、該導光板の主面及び側端面から放射されるようにしたことを特徴とする照明灯。
【請求項２】
前記上部筐体及び下部筐体がそれぞれ矩形の平面形状を有しており、該矩形の角部において、前記支柱がそれぞれ立設、配置されていると共に、前記導光板が、該矩形の対応する二辺を繋ぐように位置せしめられていることを特徴とする請求項１に記載の照明灯。
【発明の詳細な説明】
【技術分野】
【０００１】
本発明は、照明灯に係り、特に、発光ダイオード（ＬＥＤ）を用いて効果的に照明を行うようにした照明灯に関するものである。
【背景技術】
【０００２】
従来から、ＬＥＤは、白熱電球や蛍光燈等の光源とは異なり、素子寿命が長く、また高いエネルギー効率で、熱放出が少なく、更に光度が高い、調光性に優れている等の特徴を有しているところから、照明装置としての利用が注目され、特に近年においては、白色光源としての白色ＬＥＤが実用化されたことにより、ＬＥＤ照明装置の開発が進んでいる（例えば、特許文献１〜３等参照）。
【０００３】
しかしながら、それら従来のＬＥＤ使用の照明装置においては、何れも、ＬＥＤから全方向に放射される光が、可及的に広い面積において、全面に分散照射されるように構成されたものであるところから、数多くのＬＥＤが必要とされることとなって、コスト的に問題を内在するものであった。また、ＬＥＤからの光が、全方向に照射され、分散照射せしめられることにより、ＬＥＤから離れるに従って照射光量が低下し、そのために、明るく照明され得る領域が狭い等という問題も有するものであった。
【０００４】
【特許文献１】特開２００４−１９９８９６号公報
【特許文献２】実用新案登録第３１１９５７８号公報
【特許文献３】実用新案登録第３１２３７５４号公報
【発明の開示】
【発明が解決しようとする課題】
【０００５】
ここにおいて、本発明は、かかる事情を背景にして為されたものであって、その解決課題とするところは、少ない個数のＬＥＤを用いて、広い照射面積を与え得る照明灯を提供することにある。
【課題を解決するための手段】
【０００６】
そして、本発明にあっては、そのような課題を解決するために、ベースに固定される下部筐体と、該下部筐体の上方において、該下部筐体より所定距離を隔てて位置せしめられる上部筐体と、それら下部筐体及び上部筐体の対応する角部間又は周縁部間を連結し、該上部筐体を該下部筐体の上方に支持する複数本の支柱と、上下の端部がそれぞれ上部筐体及び下部筐体に支持されて、それら上部筐体及び下部筐体間で所定幅において延びる導光板と、該上部筐体内に配置され、該導光板の上端部端面に対して光を照射せしめる少なくとも一つの発光ダイオードとを含み、該導光板内に導き入れられた該発光ダイオードからの光が、該導光板の主面及び側端面から放射されるようにしたことを特徴とする照明灯を、その要旨とするものである。
【０００７】
なお、かかる本発明に従う照明灯の望ましい態様の一つによれば、前記上部筐体及び下部筐体がそれぞれ矩形の平面形状を有しており、該矩形の角部において、前記支柱がそれぞれ立設、配置されていると共に、前記導光板が、該矩形の対応する二辺を繋ぐように位置せしめられてなる構造が採用される。
【発明の効果】
【０００８】
このような本発明に従う照明灯にあっては、上部筐体から下部筐体に延びる、所定幅の長板状の導光板内に、上部筐体内に配置されたＬＥＤからの光が導入され、下部筐体側に導かれると共に、かかる導光板の両側の面からなる二つの主面とそのような導光板の両側端面とから、それぞれ放射せしめられることによって、下部筐体の周囲で、それが固定されるベース表面を、効果的に照射せしめ得ることとなるのである。
【０００９】
すなわち、本発明に係る照明灯によれば、ＬＥＤからの光が、導光板によって照射面近くまで導かれ、そして、導光板の主面と側端面からそれぞれ照射せしめられることとなるところから、下部筐体の周りのベース面を、広い領域に亘って、明るく照射することが可能となるのであり、これに加えて、ＬＥＤにて直接に照射するものではなく、ＬＥＤからの光が、導光板内に導入されて、ベース面側に誘導せしめられるようになっていることによって、必要な照明領域を得るためのＬＥＤの個数をも、有利に低減し得ることとなったのである。
【発明を実施するための最良の形態】
【００１０】
以下、本発明を更に具体的に明らかにするために、本発明の実施形態について、図面を参照しつつ、詳細に説明することとする。
【００１１】
先ず、図１乃至図６には、本発明に従う照明灯の一実施形態が示されている。それらの図のうち、図１は、かかる照明灯の正面説明図であり、また図２は、その右側面説明図である。そこにおいて、本発明に従う照明灯１０は、所定のベースに固定される下部筐体としての本体１２と、後述するＬＥＤが収容される上部筐体としての蓋体１４と、それら本体１２と蓋体１４とを連結する支柱１６と、それら本体１２と蓋体１４との間で所定幅において延びる、強化ガラスやアクリル樹脂等の透明材質からなる導光板１８とを含んで、構成されている。そして、ここでは、かかる照明灯１０は、庭園や道路等の屋外配置用として、構成されているのである。
【００１２】
具体的には、上記の照明灯１０において、地面や路面等の所定の設置面（ベース面）に、所定高さにおいて配設される本体１２は、図３（ａ）に示される如く、平面が矩形（ここでは、正方形）の断面形状を呈する箱体構造において、構成されている。そして、この本体１２の四つの角部に、それぞれ矩形の角筒形状を呈する四本の支柱１６が立設されて、溶接等によって固定されていると共に、図３（ａ）及び（ｂ）に示される如く、本体１２の上面中央部には、対応する二辺の中央部を繋ぐように延びる凹所２０が一体的に設けられて、この凹所２０内に、導光板１８の下端部が収容されて、実質的に位置固定に立設保持せしめられ得るようになっている。なお、本体１２は、ここでは、その下部に取付板状体１５が一体的に設けられており、この取付板状体１５が、地面の地表部に固設された基礎上にボルト固定されるようになっている。
【００１３】
そして、それら四本の支柱１６の上端部には、矩形の箱体形状を呈する蓋体１４が、それの本体１２に対応する角部において連結せしめられており、これによって、かかる蓋体１４が、本体１２の上方において、該本体１２より所定距離を隔てて位置するように支持せしめられてなる形態とされている。
【００１４】
ところで、かかる蓋体１４は、図４〜図６に詳細に明らかにされている如く、取付板２２と、箱体の上蓋形状を呈するカバー２４と、それら取付板２２とカバー２４にて形成される内部に収容、配置せしめられるＬＥＤモジュール２６とを有している。そして、取付板２２は、その矩形の角部において、四本の支柱１６の上端部に、それぞれ溶接等によって固定されている一方、それぞれの角部から上方に所定高さで突出する、支柱１６の内寸法に等しい外寸法を有する角筒形状の接続筒２３が設けられている。そして、その中央部においては、矩形の対応する二辺を繋ぐように延びるスリット２８が設けられており、このスリット２８内に、導光板１８の上端部が挿入位置せしめられるようになっている。なお、かかる導光板１８の板幅方向の両端部は、図５に示される如く、取付板２２の上面に、ボルトとナットにて固定される帯状の押え板３０によって、適当なクッション（図示せず）を介してそれぞれ押え付けられて、導光板１８の上端部が所定寸法以上に蓋体１４内に入り込むことが、阻止され得るようになっている。
【００１５】
また、ＬＥＤモジュール２６は、長手の密閉箱体形状を呈しており、その長手方向が、スリット２８の延びる方向と一致するように、かかるスリット２８を覆うように位置せしめられて、その対向する側部から外方に延び出すブラケット３２を介して、取付板２２の上面上に、ボルト固定せしめられ得るようになっている。更に、この箱体形状のＬＥＤモジュール２６は、その下壁部３４が、透明樹脂の如き透光性材料からなる透光部とされている一方、その内部には、スリット２８の延びる方向に、換言すれば導光板１８の板幅方向に所定の間隔を隔てて、二つのＬＥＤ３６が、上壁部３８の内面に固定せしめられている。従って、それら二つのＬＥＤ３６の発光により放射される光は、ＬＥＤモジュール２６の透明な下壁部３４を透過して、取付板２２のスリット２８から、導光板１８の上端部の端面に対して照射せしめられ、かかる導光板１８内に導き入れられることとなるのである。なお、図示はしないが、それらＬＥＤ３６には、それを電源に接続するための電線が接続されており、例えば、蓋体１４から支柱１６を通じて、本体１２内に導かれた後、外部に取り出されて、所定の電源に接続されるようになっている。
【００１６】
そして、箱型の蓋形状を呈するカバー２４は、図６に示される如く、その天板部内面から垂下するＬ字形状の取付ブラケット４０を有しており、取付板２２上に、ＬＥＤモジュール２６を内部に収容するようにして、覆蓋、嵌着せしめられた後、取付ブラケット４０に対して、取付板２２の側からネジ４２を螺入せしめることによって、固定されるようになっている。
【００１７】
従って、かくの如き照明灯１０にあっては、蓋体１４の内部に収容されたＬＥＤモジュール２６内の二つのＬＥＤ３６，３６が発光せしめられて、それらから放射された光が、ＬＥＤモジュール２６の透明な下壁部３４を透過して、それらＬＥＤ３６，３６に対向した導光板１８の上端面から、導光板１８内に導き入れられ、更に導光板１８内を、本体１２側に向かって下方に導かれることとなる。そして、かかる導光板１８内を導かれるＬＥＤ３６からの光は、導光板１８の主面（平面）及び側端面から放射されることとなり、以て、本体１２の設置された設置面（ベース面）に照射され、かかる本体１２の周囲が照明されることとなるのである。なお、その際、導光板１８の側端面においては、その主面とは異なり、ある程度の凹凸が存在するところから、そのような凹凸によって、側端面自体が、略板厚程度の幅で、線状に光るものとなるのである。
【００１８】
このように、本発明に従う照明灯１０にあっては、導光板１８によって、ＬＥＤ３６からの光が、その設置面（ベース面）側に導かれ、そして、本体１２の周囲を照明するようになるところから、ＬＥＤからの光を全方向に放射せしめる場合に比して、本体１２の周りの設置面を、より広い面積において、またより明るく照明することが出来ることとなったのであり、このため、目的とする照明を実現するために必要とされるＬＥＤの個数も、有利に低減せしめられ得ることとなったのである。
【００１９】
なお、かかる構造の照明灯１０にあっては、矩形の四隅に立設された支柱１６の存在によって、導光板１８から放射される光が遮られ、それによって、その設置面上の照明領域においては、それら支柱１６に対応した四本の影として、放射状に延びる太い線が現出するようになる他、導光板１８の側端面から出る光が、その側端面で分散、放射されることによって、その側端面を光輝させることにより、そのような側端面に対応する設置面部位は、照射光量の少ない薄暗い部分として、設置面上に、放射状に現出せしめられるようになるのである。そして、これによって、それら四本の遮光された太線部分と薄暗い二本の照射光量の少ない部分が放射状に延びる照明形態を形成することによって、照明灯１０の周りの設置面上には、幻想的な光の影が放射状に現出された状態が形成されることとなるのである。
【００２０】
ところで、本発明は、また、上記した実施形態の他にも、本発明の技術思想に従って、各種の態様において実施され得るものであることが、理解されるべきである。
【００２１】
例えば、本体１２や蓋体１４の平面形態としては、例示の如き正方形状の他、長方形状であっても、また円形状や楕円形状等の各種の形状であっても、何等差支えない。なお、それら本体１２と蓋体１４の平面形態は、何れも、同一形態のものとされていることが望ましい。また、本体１２の固定的な設置にあっても、例示の如く取付板状体１５を介して基礎に固定せしめる構造の他、ベースに設けられた筒状体に対して本体１２の下部を内挿したり、外挿したりして、固定せしめるようにすることも可能である。
【００２２】
また、蓋体１４内に配置されて、導光板１８の上端面に光を照射せしめるＬＥＤ３６の配設形態にあっても、例示の実施形態においては、屋外配置のために防水性等の特性を付与すべく、箱型のＬＥＤモジュール２６内に収容、配置せしめられてなる構造が採用されているが、そのようなＬＥＤモジュール２６は必ずしも必要なものではなく、蓋体１４内が充分に防水性を確保し得たり、或いは照明灯１０自体が廊下の照明等に用いられて、充分な防水性が要求されない場合等にあっては、ＬＥＤ３６を、直接に、蓋体１４内に配置せしめることも可能であり、更にそのようなＬＥＤ３６の配設個数としても、導光板１８の大きさ、特に横幅のサイズに応じて、導光板１８の上端面の全体が照明され得るようなＬＥＤ個数が選択されることとなる。
【００２３】
加えて、用いられるＬＥＤ３６の種類としては、公知の各種のものが適宜に選択されて用いられ得、例えば白色ＬＥＤが用いられる他、青色ＬＥＤや赤色ＬＥＤ等の有色ＬＥＤも用いることが可能であり、そしてそのような有色ＬＥＤを用いることによって、前記した幻想的な照明効果は更に高められ得るのである。
【００２４】
さらに、支柱１６による本体１２及び蓋体１４との連結構造にあっても、公知の各種の固定手段が適宜に採用され得るところであり、例示の如き溶接固定の他、凹凸嵌合構造やネジ止め構造、更にはボルト・ナットによる固定構造等が、照明灯１０の用途に応じて、適宜に選択されることとなる。
【００２５】
なお、照明灯１０の配設場所にあっても、既に触れたところであるが、屋外の他に、廊下や室内、内庭等の照明のために、屋内での配設も採用可能であり、これによって本発明に従う照明灯１０による幻想的な照明を有効に利用することが出来る。
【００２６】
その他、一々列挙はしないが、本発明が、当業者の知識に基づいて、種々なる変更、修正、改良等を加えた態様において実施され得るものであり、また、そのような実施の態様が、本発明の趣旨を逸脱しない限りにおいて、何れも、本発明の範疇に属するものであることは、言うまでもないところである。
【図面の簡単な説明】
【００２７】
【図１】本発明に従う照明灯の一例を示す正面説明図である。
【図２】図１に示される照明灯の右側面説明図である。
【図３】図１に示される照明灯の断面説明図であって、（ａ）は図１における IIIａ −IIIａ断面拡大説明図であり、（ｂ）は図１におけるIIIｂ−IIIｂ断面拡大説明図である。
【図４】図２におけるIV−IV断面説明図である。
【図５】図４におけるＶ−Ｖ断面説明図である。
【図６】図４に相当する正面部位において、蓋体のカバー（断面で示す）を取り外した形態を示す概略説明図である。
【符号の説明】
【００２８】
１０  照明灯                              １２  本体
１４  蓋体                                １５  取付板状体
１６  支柱                                １８  導光板
２０  凹所                                ２２  取付板
２４  カバー                              ２６  ＬＥＤモジュール
２８  スリット                            ３０  押え板
３２  ブラケット                          ３４  下壁部
３６  ＬＥＤ                              ３８  上壁部
４０  取付ブラケット                      ４２  ネジ
【図１】
2008192472.tif 000003
【図２】
2008192472.tif 000004
【図３】
2008192472.tif 000005
【図４】
2008192472.tif 000006
【図５】
2008192472.tif 000007
【図６】
2008192472.tif 000008